(57)【要約】【課題】門扉の表面裏面共に装飾可能で、容易かつ強固に取り付けができる門扉用装飾部材、およびその門扉用装飾部材により装飾された装飾門扉を提供する。【解決手段】枠体１０の外周に嵌合突起１１が、背面にフランジ１２が形成されており、フランジ１２の外周にタイル保持壁１３と係合部１４とが形成されているタイル保持部材Ａである。一対のタイル保持部材Ａがフランジ１２同士を相対向させ係合部１４で係合されており、装飾タイルＢは相対向するフランジ１２に挾持されている門扉用装飾部材Ｃである。門扉用装飾部材Ｃは表面と裏面が同一形状であるので、門扉の表面裏面共に十分な装飾を施すことができる。門扉用装飾部材Ｃの嵌合突起１１と門扉の嵌合溝部とが嵌合するので、容易かつ強固に取り付けができる。【選択図】図１
2010190012.tif 000002
【特許請求の範囲】
【請求項１】
正面視矩形の枠体であり、
該枠体の外周に嵌合突起が設けられており、
前記枠体の背面にフランジが形成されており、
該フランジの外周に、タイルを保持するタイル保持壁と係合部とが形成されている
ことを特徴とするタイル保持部材。
【請求項２】
前記係合部が、先端に係合突起を有する爪である
ことを特徴とする請求項１記載のタイル保持部材。
【請求項３】
前記枠体の内壁が、背面から正面に向かって広がるように傾斜している
ことを特徴とする請求項１記載のタイル保持部材。
【請求項４】
請求項１、２または３記載のタイル保持部材が一対と、装飾タイルとからなる門扉用装飾部材であって、
前記一対のタイル保持部材は、前記フランジ同士を相対向させ、前記係合部で係合されており、
前記装飾タイルは、前記相対向するフランジに挾持されている
ことを特徴とする門扉用装飾部材。
【請求項５】
嵌合溝部が設けられている門扉であって、
請求項４記載の門扉用装飾部材の前記タイル保持部材の嵌合突起と、前記門扉の嵌合溝部とが嵌合することで、前記門扉用装飾部材が前記門扉に取り付けられている
ことを特徴とする装飾門扉。
【発明の詳細な説明】
【技術分野】
【０００１】
本発明は、門扉用装飾部材および装飾門扉に関する。さらに詳しくは、門扉の表面裏面共に装飾可能で、容易かつ強固に取り付けができる門扉用装飾部材、およびその門扉用装飾部材により装飾された装飾門扉に関する。
【背景技術】
【０００２】
従来、門扉に意匠効果を持たせるため、タイルなどの装飾部材を門扉に取り付けることが行われている。
その従来技術の一例として特許文献１がある。特許文献１記載の従来技術は、図１１に示すように、裏面にめねじ部104aが成形された装飾用パネル104と、めねじ部104aに対応した貫通孔が形成された裏当板105とからなり、装飾用パネル104を門扉本体101に開けられた開口取付部101aに配設し、ボルト106を貫通孔を通してめねじ部104aに螺着することで、装飾用パネル104と裏当板105とで門扉本体101の開口縁部101bを挾持するものである。このような構成とすることで、門扉に装飾を施すことができる。
【０００３】
しかるに、この従来技術においては、門扉の表面は装飾できるものの、裏面は装飾できず、ボルト106の頭も見えてしまい外観を損なうという問題がある
また、施工の際にねじ止めを行うのに手間がかかるという問題がある。
【０００４】
これに対して特許文献２記載の従来技術は、図１２に示すように、装飾タイル204の裏面に挿入凸部205を設け、その挿入凸部205の先端部分に装飾体206を設けた装飾タイル204であって、挿入凸部205を門扉202に設けた孔部203に挿入し、装飾タイル204と門扉202とを接着体210で接着して固定したものである。このような構成とすることで、門扉の表面のみならず裏面にも装飾を施すことができる。
【０００５】
しかるに、この従来技術においては、門扉の裏面の装飾は挿入凸部205の大きさにより制限され、装飾できる面積が小さくなり、十分な装飾とならないという問題がある。
また、施工の際に接着を行う必要があり、依然として施工時の手間を省くものとはなっていない。
さらに、接着されているだけであるので、特に門扉の裏面からの外力に弱く、装飾タイル204が剥がれるおそれがあるという問題がある。
【先行技術文献】
【特許文献】
【０００６】
【特許文献１】実開平４−４１９７号公報
【特許文献２】特許第３５０６１００号公報
【発明の概要】
【発明が解決しようとする課題】
【０００７】
本発明は上記事情に鑑み、門扉の表面裏面共に装飾可能で、容易かつ強固に取り付けができる門扉用装飾部材、およびその門扉用装飾部材により装飾された装飾門扉を提供することを目的とする。
【課題を解決するための手段】
【０００８】
第１発明のタイル保持部材は、正面視矩形の枠体であり、該枠体の外周に嵌合突起が設けられており、前記枠体の背面にフランジが形成されており、該フランジの外周に、タイルを保持するタイル保持壁と係合部とが形成されていることを特徴とする。
第２発明のタイル保持部材は、第１発明において、前記係合部が、先端に係合突起を有する爪であることを特徴とする。
第３発明のタイル保持部材は、第１発明において、前記枠体の内壁が、背面から正面に向かって広がるように傾斜していることを特徴とする。
第４発明の門扉用装飾部材は、第１、第２または第３発明のタイル保持部材が一対と、装飾タイルとからなる門扉用装飾部材であって、前記一対のタイル保持部材は、前記フランジ同士を相対向させ、前記係合部で係合されており、前記装飾タイルは、前記相対向するフランジに挾持されていることを特徴とする。
第５発明の装飾門扉は、嵌合溝部が設けられている門扉であって、第４発明の門扉用装飾部材の前記タイル保持部材の嵌合突起と、前記門扉の嵌合溝部とが嵌合することで、前記門扉用装飾部材が前記門扉に取り付けられていることを特徴とする。
【発明の効果】
【０００９】
第１発明によれば、一対のタイル保持部材を、装飾タイルを挟んでフランジ同士を相対向させ係合部で係合することにより、門扉用装飾部材を組み立てることができるので、門扉用装飾部材を門扉に取り付けることにより、門扉に装飾を施すことができる。また、２つの同一のタイル保持部材で門扉用装飾部材を組み立てることができるので、タイル保持部材を製造する金型が一つでよく、生産性がよい。
第２発明によれば、一対のタイル保持部材を、フランジ同士を相対向させ爪で係合する場合に、フランジ同士を圧接するだけで爪の先端に設けられた係合突起が、相対するフランジに嵌るので、門扉用装飾部材の組み立てが容易である。また、いったん係合突起がフランジに嵌ると外れにくいので、装飾タイルを強固に保持するとともに、門扉用装飾部材の強度を保つことができる。
第３発明によれば、内壁に傾斜が設けられているので、門扉に取り付けられた場合に、降ってくる雨やごみなどを自然に排出することができる。
第４発明によれば、一対のタイル保持部材と装飾タイルとで門扉用装飾部材を組み立てることができるので、門扉用装飾部材を門扉に取り付けることにより、門扉に装飾を施すことができる。また、装飾タイルはデザイン、材質などを自由に選択できるので、門扉に多彩な装飾を施すことができる。さらに、門扉用装飾部材は表面と裏面が同一形状であるので、門扉の表面裏面共に十分な装飾を施すことができる。
第５発明によれば、門扉用装飾部材の嵌合突起と門扉の嵌合溝部とが嵌合するので、他の部材を使用する必要がなく、門扉用装飾部材を門扉に取り付ける作業が、手間がかからず容易である。また、嵌合突起と嵌合溝部との嵌合により、扉用装飾部材を門扉に強固に取り付けることができる。
【図面の簡単な説明】
【００１０】
【図１】本発明の一実施形態に係るタイル保持部材の正面図である。
【図２】同タイル保持部材の側面図である。
【図３】同タイル保持部材の背面図である。
【図４】図２におけるIVa‐IVa線矢視断面図（Ａ）、IVb‐IVb線矢視断面図（Ｂ）、IVc‐IVc線矢視断面図（Ｃ）である。
【図５】本発明の一実施形態に係る門扉用装飾部材の側面図である。
【図６】図５におけるVI‐VI線矢視断面図である。
【図７】本発明の一実施形態に係る装飾門扉の正面図である。
【図８】図７におけるVIII‐VIII線矢視断面図である。
【図９】図７におけるIX‐IX線矢視断面図である。
【図１０】図７におけるＸ‐Ｘ線矢視断面図である。
【図１１】従来技術の門扉用装飾部材の説明図である。
【図１２】従来技術の門扉用装飾部材の説明図である。
【発明を実施するための形態】
【００１１】
つぎに、本発明の実施形態を図面に基づき説明する。
図１から図３に示すように、本発明の一実施形態に係るタイル保持部材Ａは、正面視中空の正方形の枠体１０であり、その枠体１０の外周、四辺に嵌合突起１１が設けられており、枠体１０の背面にはフランジ１２が形成さている。また、フランジ１２の外周縁、四辺にタイル保持壁１３および爪１４がフランジ１２に対して垂直に形成されている。さらに、枠体１０はその内壁が、背面から正面に向かって広がるように傾斜している。
【００１２】
図４（Ａ）に示すように、爪１４はその内面（図４の上側の面）の先端に係合突起１５を有している。後述するように、一対のタイル保持部材Ａを、フランジ１２同士を相対向させ係合する場合に、この係合突起１５が相対するフランジ１２に嵌る必要があるので、爪１４の高さおよび係合突起１５の位置はフランジ１２の厚みとタイル保持壁１３の高さにより決定される。
【００１３】
タイル保持壁１３は凸型をしており、中央の高部１３ａが高く（図４（Ｂ）参照。）、両端の低部１３ｂが低い（図４（Ｃ）参照。）。後述するように、タイル保持壁１３は、一対のタイル保持部材Ａのフランジ１２に挾持される装飾タイルの側面を保持する部材である。中央の高部１３ａは、その挾持される装飾タイルの厚みと同じ高さとなっており、両端の低部１３ｂは装飾タイルの厚みの半分の高さとなっている。
【００１４】
図３に示すように、タイル保持壁１３および爪１４は交互に、一辺に対して２つずつ設けられており、水平中心線ｃ１もしくは垂直中心線ｃ２で折り返したときに、タイル保持壁１３と爪１４とが対応する位置に配置されている。より詳しくは、タイル保持壁１３の高部１３ａと爪１４とが対応する位置に配置されている。
また、爪１４はタイル保持壁１３に比べてフランジ１２の外側に設けられており、爪１４を相対するフランジ１２に嵌めた時に、爪１４の内面とタイル保持壁１３の外面が当接する位置に設けられている。
【００１５】
なお、本実施形態において、枠体１０を正面視正方形としたが、これを正面視長方形とした実施形態としてもよい。
また、タイル保持壁１３と爪１４の数も１辺に対して２つずつでなくてもよく、任意の数設ければよい。その場合、一対のタイル保持部材Ａがフランジ１２同士を相対向させたときに爪１４が相対するフランジ１２に嵌ることのできる配置とすればよい。
また、タイル保持壁１３および爪１４の形状は前述の通りに限定されることはなく、タイル保持壁１３は挾持される装飾タイルの側面を保持できる形状であればよく、爪１４は他の係合部材としてもよい。
【００１６】
つぎに、一対のタイル保持部材Ａと装飾タイルＢとからなる門扉用装飾部材Ｃについて説明する。
本発明で用いられる装飾タイルＢはフランジ１２に嵌る大きさの矩形のタイルであり、装飾タイルＢの材質には全く制限がなく、タイル材、ガラス、木、金属、プラスチックなどが用いられ、その表面に施される装飾も自由に選択することができる。
図５、図６に示すように、一対のタイル保持部材Ａを、装飾タイルＢを挟んでフランジ１２同士を相対向させ、爪１４を相対するフランジ１２に嵌めることで、門扉用装飾部材Ｃが組み立てられる。このように組立てられた状態で装飾タイルＢは、相対向するタイル保持部材Ａのフランジ１２にその周囲が挾持されている。
【００１７】
また、装飾タイルＢの側面は、タイル保持壁１３で保持されている。より詳細には、タイル保持壁１３の両端の低部１３ｂは互いに対向して装飾タイルＢの側面を保持し、高部１３ａは爪１４の内面に当接して装飾タイルＢの側面を保持している。
【００１８】
さらに、タイル保持部材Ａの外周に設けられた嵌合突起１１により、門扉用装飾部材Ｃの上面、底面および両側面には、正面側および背面側に嵌合突起１１を有する形状となる。
【００１９】
このように、門扉用装飾部材Ｃを組み立てる場合には、フランジ１２同士を圧接するだけで爪１４の先端に設けられた係合突起１５が、相対するフランジ１２に嵌るので、組み立てが容易である。
また、いったん係合突起１５がフランジ１２に嵌ると外れにくいので、装飾タイルＢを強固に保持するとともに、門扉用装飾部材Ｃの強度を保つことができる。
【００２０】
さらに、２つの同一のタイル保持部材Ａで門扉用装飾部材Ｃを組み立てることができるので、タイル保持部材Ａを製造する金型が一つでよく、生産性がよい。
【００２１】
なお、タイル保持部材Ａの内壁は、背面から正面に向かって広がるように傾斜しているが、これにより、門扉用装飾部材Ｃの内壁は、装飾タイルＢから正面もしくは背面に向かって広がるように傾斜することとなる。
この傾斜により、門扉用装飾部材Ｃが門扉に取り付けられた場合に、降ってくる雨やごみなどが溜まることなく自然に排出することができる。
【００２２】
つぎに、門扉用装飾部材Ｃを用いて装飾した装飾門扉Ｄについて説明する。
図８および図９に示すように、装飾門扉Ｄは、上框２１、下框２２および左右の縦框２３からなる框枠と、その框枠に嵌めこまれた長横桟２４、短横桟２５および門扉用装飾部材Ｃからなる。長横桟２４は左右の縦框２３に届く長さの部材である。一方、短横桟２５は短い部材で、２つの短横桟２５の間に門扉用装飾部材Ｃを挟んで左右の縦框２３に嵌めこまれている。
【００２３】
図８に示すように、上框２１、下框２２、長横桟２４、短横桟２５は断面視長方形をしている。また、下框２２の上面には、正面側および背面側に嵌合突起３１が設けられており、上框２１の底面には、正面側および背面側に嵌合溝部３０が設けられている。さらに、長横桟２４、短横桟２５の上面には正面側および背面側に嵌合突起３１が、底面には正面側および背面側に嵌合溝部３０が設けられている。
これらの嵌合溝部３０に嵌合突起３１が嵌ることで、下框２２の上に短横桟２５が、短横桟２５の上に長横桟２４が積み上げられ、最上段には上框２１が積み上げられている。積み上げられた上框２１、下框２２、長横桟２４、短横桟２５の側面が縦框２３に螺子などで固定されることにより装飾門扉Ｄをなしている。
【００２４】
図９に示すように、門扉用装飾部材Ｃは、その上下が長横桟２４に挟まれている。門扉用装飾部材Ｃの下に位置する長横桟２４の上面には、門扉用装飾部材Ｃが位置する部分だけ、嵌合突起３１のかわりに嵌合溝部３０が設けられている。そのため、下に位置する長横桟２４の上面の嵌合溝部３０と、門扉用装飾部材Ｃの底面の嵌合突起１１が嵌り、上に位置する長横桟２４の低面の嵌合溝部３０と、門扉用装飾部材Ｃの上面の嵌合突起１１が嵌合することで、門扉用装飾部材Ｃが装飾門扉Ｄに取り付けられている。
【００２５】
さらに、図１０に示すように、短横桟２５の中空部内に門扉用装飾部材Ｃの側面の嵌合突起１１を嵌合することで、門扉用装飾部材Ｃが装飾門扉Ｄに取り付けられている。なお、短横桟２５の中空部内壁に門扉用装飾部材Ｃの側面の嵌合突起１１の外側面が当接しており、門扉用装飾部材Ｃをガタつきなく取り付けることができる。
【００２６】
このように、門扉用装飾部材Ｃを装飾門扉Ｄに取り付けることにより、装飾門扉Ｄに装飾を施すことができる。また、門扉用装飾部材Ｃは表面と裏面が同一形状であるので、装飾門扉Ｄの表面裏面共に十分な装飾を施すことができる。
【００２７】
また、その取り付けにおいては、門扉用装飾部材Ｃの嵌合突起１１と装飾門扉Ｄの嵌合溝部３０とが嵌合するので、他の部材を使用する必要がなく、門扉用装飾部材Ｃを装飾門扉Ｄに取り付ける作業が、手間がかからず容易である。
さらに、嵌合突起１１と嵌合溝部３０との嵌合により、門扉用装飾部材Ｃを装飾門扉Ｄに強固に取り付けることができる。
【００２８】
装飾タイルＢはデザイン、材質などを自由に選択できるので、装飾門扉Ｄに多彩な装飾を施すことができる。例えば、装飾タイルＢの材質を任意に変更してもよいし、あるいは、装飾タイルＢの表面と裏面のデザインを変えて、表面と裏面のデザインが異なる装飾門扉Ｄとしてもよい。
【００２９】
なお、門扉用装飾部材Ｃの配置は、本実施形態の配置に限られることはなく、短横桟２５の長さを変更したり、他の部材を用いたりすることで、装飾門扉Ｄの任意の位置に配置することができる。
【符号の説明】
【００３０】
Ａ      タイル保持部材
Ｂ      装飾タイル
Ｃ      門扉用装飾部材
Ｄ      装飾門扉
１０    枠体
１１    嵌合突起
１２    フランジ
１３    タイル保持壁
１３ａ  高部
１３ｂ  低部
１４    爪
１５    係合突起
２１    上框
２２    下框
２３    縦框
２４    長横桟
２５    短横桟
３０    嵌合溝部
３１    嵌合突起
【図１】
2010190012.tif 000003
【図２】
2010190012.tif 000004
【図３】
2010190012.tif 000005
【図４】
2010190012.tif 000006
【図５】
2010190012.tif 000007
【図６】
2010190012.tif 000008
【図７】
2010190012.tif 000009
【図８】
2010190012.tif 000010
【図９】
2010190012.tif 000011
【図１０】
2010190012.tif 000012
【図１１】
2010190012.tif 000013
【図１２】
2010190012.tif 000014